(57)【要約】【課題】戸幅の異なる両引分戸の連動閉鎖装置を提供する【解決手段】幅広引き戸１ｂ側の引き戸外部に設けられた引き戸閉鎖装置５から引き戸開閉方向に平行して引き出されたワイヤロープ６に１個の筒状誘導具７を通した後更に転向滑車８を介してターンバックされ、この端部が幅広引き戸１ｂ側に係着される。一方幅狭引き戸１ａ側から持ち出された固定具１０が筒状誘導具７と固着される。全閉時において幅広引き戸１ｂを開く時、筒状誘導具７端のうちこの筒状誘導具７により幅狭引き戸１ａが移動しない側に当接して第１留め具１１が固着されこの固着位置から筒状誘導具方向に幅広引き戸と幅狭引き戸との戸幅の差と筒状誘導具の長さとを加えた距離だけ離れた位置のワイヤロープに第２留め具が固着されてなる両引分戸の連動閉鎖装置【選択図】図１
2004232442.tif 000002
【特許請求の範囲】
【請求項１】
左右の戸幅が異なる両引分戸において幅広引き戸側の引き戸外部に設けられた引き戸閉鎖手段から引き戸開閉方向に平行して引き出されたワイヤロープに１個の筒状誘導具が通された後更に転向滑車を介してターンバックされ幅狭引き戸を通り越してこのワイヤロープ端部が幅広引き戸側に係着され上記幅狭引き戸側から持ち出された筒状誘導具の固定具が上記筒状誘導具と固着連結され両引分戸を全閉または全開位置に置いて当該位置を初期位置と設定し筒状誘導具が通された方のワイヤロープで初期位置における筒状誘導具端のうち幅広引き戸を上記設定位置と反対方向に動かす時この筒状誘導具により幅狭引き戸が移動しない側に当接して第１留め具が固着されこの第１留め具の固着位置から筒状誘導具方向に幅広引き戸と幅狭引き戸との戸幅の差と筒状誘導具の長さとを加えた距離だけ離れた位置のワイヤロープに第２留め具が固着されてなり幅広引き戸が上記引き戸閉鎖手段により全閉位置に到達する時幅狭引き戸もまた同時に全閉位置に到達することを特徴とする両引分戸の連動閉鎖装置
【請求項２】
通常時は係止手段により常開係止され緊急時は非常信号により係止が自動解除されて閉鎖手段により開口部を閉鎖する戸幅の異なる常開式両引分防火戸において両引分防火戸の一方に係止具が設けられこの係止具が設けられた側の引き戸が全開した時この係止具を係止する位置に係止装置が設けられこの係止装置が緊急時は非常信号により係止具を自動解除する手段およびまたは手動により係止具を手動解除する手段を有することを特徴とする請求項１記載の連動閉鎖装置付常開式防火戸
【発明の詳細な説明】
【０００１】
【発明の属する技術分野】
本発明は一方の引き戸に閉鎖装置を設けて一方を開閉すれば他方の引き戸も同時に開閉できる両引分戸の連動閉鎖装置に関するものとこの装置付常開式両引分防火戸に関するものである。
【０００２】
【従来の技術】
両引分戸の一方を開閉操作することにより他の一方も連動して開閉させる方法の基本形は引分戸（特許文献１参照）に詳しく説明されており、またエレベータ前のドア開閉装置（特許文献２参照）にも応用されている。そしてこれらの一方の引き戸に閉鎖手段を設ければ閉鎖式の連動装置を製作することが出来ることもわかった。
【０００３】
【特許文献１】
特開２００１−２０６０８号公報明細書全頁
【特許文献２】
特開平１１−２９２４３３号公報、図１
【０００４】
【発明が解決しようとする課題】
しかしながらこれらの両引分戸の連動装置は戸幅が同じ長さのものの開閉で左右対称のものであれば有効であるが、中にはエレベータ前の防火戸設置に際して設計上収納に関して片方側は大きく取れるが他方側が小さくしか取れないため左右の戸幅を同じに出来ないとか、奥行きがなくレール２本の２枚引き戸にすることが出来ないためレール１本の引き戸にしなければならないなどの制約条件があることがあり、その場合には用いることが出来ないという不都合があり、このようなケースが近年特に増加傾向にある。本発明はかかる不都合を解決することを目的として提供されたものである。
【０００５】
【課題を解決するための手段】
本発明は掛かる不都合を左右のドア幅を互いに異ならせ、更にドアから持ち出した固定具とワイヤロープとの取付方法を工夫することによりかかる不都合を解決した。すなわち一つには左右の戸幅が異なる両引分戸において幅広引き戸側の引き戸外部に設けられた引き戸閉鎖手段から引き戸開閉方向に平行して引き出されたワイヤロープに１個の筒状誘導具が通された後更に転向滑車を介してターンバックされ幅狭引き戸を通り越してこのワイヤロープ端部が幅広引き戸側に係着され上記幅狭引き戸から持ち出された筒状誘導具の固定具が上記筒状誘導具と固着連結され両引分戸を全閉または全開位置に置いて当該位置を初期位置と設定し筒状誘導具が通された方のワイヤロープで初期位置における筒状誘導具端のうち幅広引き戸を上記設定位置と反対方向に動かす時この筒状誘導具により幅狭引き戸が移動しない側に当接して第１留め具が固着されこの第１留め具の固着位置から筒状誘導具方向に幅広引き戸と幅狭引き戸との戸幅の差と筒状誘導具の長さとを加えた距離だけ離れた位置のワイヤロープに第２留め具が固着されてなり幅広引き戸が上記引き戸閉鎖手段により全閉位置に到達する時幅狭引き戸もまた同時に全閉位置に到達することを特徴とする両引分戸の連動閉鎖装置であり、また１つは、通常時は係止手段により常開係止され緊急時は非常信号により係止が自動解除されて閉鎖手段により開口部を閉鎖する戸幅の異なる常開式両引分防火戸において両引分防火戸の一方に係止具が設けられこの係止具が設けられた側の引き戸が全開した時この係止具を係止する位置に係止装置が設けられこの係止装置が緊急時は非常信号により係止具を自動解除する手段およびまたは手動により係止具を手動解除する手段を有することを特徴とする上記で説明した連動閉鎖装置の付いた常開式防火戸である。
【０００６】
また、この防火戸はレール軌道上で吊車式であっても床車輪式であっても良く、引き戸閉鎖手段は防火戸という性格から極力電気を用いず機械的要素を用いて開放時に蓄えた復帰用のエネルギーを閉鎖用に用いることが好ましく、また引き戸閉鎖時における加速性を軽減させ危険を伴わないようにするため閉鎖手段には調速手段を設けることが好ましい。例えば閉鎖手段として重錘を吊るして引き戸を閉鎖させる場合には転向プーリに重錘のワイヤロープを巻き掛けし転向プーリの回転を利用してガバナー装置を取り付けするなどである。また閉鎖手段は幅広引き戸側の引き戸を操作することが必須条件である。
【０００７】
【発明の実施の形態】
以下本発明の実施例を図に基づいて説明すると図１は本発明装置の概略を説明する正面図、図２は本発明常開式防火戸の主要部を取り出した斜視図であり、図３は調速手段付閉鎖手段の一例を示した引き戸閉鎖装置の正面図であり、図４は図３の断面図である。
【０００８】
まず実施例１の構成を説明すると、図１においてＷａの幅を有する幅狭引き戸１ａと５Ｗｂの幅を有する幅広引き戸１ｂが接続具２を介して吊車３によりレール４に吊り下げられ左右に開かれるように構成されている。図中実線で示した位置が両引分戸の全閉位置であり、２点鎖線で示した位置が両引分戸の全開位置である。
【０００９】
幅広引き戸１ｂ側の引き戸外部に設けられた引き戸閉鎖装置５から引き戸の開閉方向に平行して引き出されたワイヤロープ６に１個の長さＬの筒状誘導具７が通された後更に滑車８、８を介してターンバックされ幅狭引き戸１ａを通り越してこのワイヤロープ６の端部が幅広引き戸１ｂ側の接続具２に設けられた取付ブラケット９に係着され幅狭引き戸１ａ側の接続具２から持ち出された筒状誘導具７の固定具１０が筒状誘導具７と固着連結されている。
【００１０】
両引分戸を全閉位置に置いて当該位置を初期位置と設定し筒状誘導具７が通された方のワイヤロープ６で初期位置における筒状誘導具端のうち幅広引き戸１ｂを開放側に移動する時この筒状誘導具７により幅狭引き戸１ａが移動しない側に当接した位置Ｐに第１留め具１１が固着されこの第１留め具１１の固着位置Ｐから筒状誘導具方向に幅広引き戸２ｂと幅狭引き戸１ａとの戸幅の差Ｗｂ−Ｗａと筒状誘導具の長さＬとを加えた距離（Ｗｂ−Ｗａ）＋Ｌだけ離れた位置Ｑのワイヤロープに第２留め具１２が固着されてなるものであり、幅広引き戸１ｂが引き戸閉鎖装置５により全閉位置に到達する時幅狭引き戸１ａもまた全閉位置に到達することを特徴とする両引分戸の連動閉鎖装置である。
【００１１】
次にその動作を説明すると両引分戸１ａ、１ｂの全閉位置から引き戸閉鎖装置５の引き力に逆らって幅広引き戸１ｂを開方向に移動させてゆくとワイヤロープ６は引き戸閉鎖装置５から次第に引き出されてくる。一方、第１留め具１１は筒状誘導具端のうち幅狭引き戸１ａを移動させない側に設けられているためワイヤロープ６と一緒に移動するが幅狭引き戸１ａは移動しない。
【００１２】
そしてＱ位置に固着された第２留め具１２が筒状誘導具端に当接し、更に幅広引き戸１ｂを開方向に移動させてゆくと第２留め具１２が筒状誘導具７をそのまま押してゆき、筒状誘導具７に固着連結された幅狭引き戸１ａもまた開方向に移動することになる。
【００１３】
ここで、Ｑ位置の第２留め具１２が筒状誘導具７に当接するまでに移動した距離は初期条件設定よりＷｂ−Ｗａであり、幅広引き戸１ｂの全開位置までの残り距離はＷｂ−（Ｗｂ−Ｗａ）＝Ｗａであるから幅広引き戸１ｂが全開位置に到達した時、幅狭引き戸１ａもまた全開位置に到達することになる。すなわち両引分戸１ａ、１ｂは同時に全開位置に達することになる。
【００１４】
次に全開位置より幅広引き戸１ｂから手を離すと今度は逆に幅広引き戸１ｂは引き戸閉鎖装置５の引き力によって閉方向に移動してゆき、ワイヤロープ６も移動するが筒状誘導具７は第１留め具１１が到達するまでそのままの位置で停止した状態であり、そのため幅狭引き戸１ａもまたその位置で停止したままである。
【００１５】
そして筒状誘導具７に第１留め具１１が当接し、更に幅広引き戸１ｂが閉方向に移動してゆくと第１留め具１１はワイヤロープ６に固着されているため、今度は筒状誘導具７も移動し、筒状誘導具７に固着連結された幅狭引き戸１ａもまた閉方向に移動することになる。
【００１６】
ここで、第１留め具１１が筒状誘導具７に当接するまでに移動した距離は初期条件設定よりＷｂ−Ｗａであり、全閉位置までの残り距離はＷｂ−（Ｗｂ−Ｗａ）＝Ｗａであるから幅広引き戸１ｂが全閉位置に到達した時、幅狭引き戸１ａもまた全閉位置に到達することになる。すなわち両引分戸１ａ、１ｂは同時に全開位置に達することになる。
【００１７】
以上の動作説明からわかるように全開位置を初期位置と設定した場合はＱの位置が第１留め具の固着位置となりＰの位置が第２固定具の固着位置となるだけであり、両引分戸を全開・全閉のどちらの位置を初期位置設定としてもＰとＱの位置関係は変わらない。ここで注意しなければならないことは幅広引き戸１ｂが全開位置まで開かれた時に第１留め具１１が上記した滑車８に衝突しないように滑車取付位置を設定することと幅狭引き戸１ａ側から持ち出す筒状誘導具７の固定具１０と筒状誘導具７との固着位置を慎重に設定することである。
【００１８】
ここで用いた引き戸閉鎖装置５は図３、図４に示すようにケース１５内にワイヤロープ６と２段ドラム１６と定出力スプリング１７の巻き取り用ドラム１８と歯車列とガバナー装置１９とから構成され、２段ドラム１６の１段目はワイヤロープ６の巻き取り部であり必要量のワイヤロープが巻かれている。２段目は定出力スプリング１７の巻き取り部であり、端部を螺子固定されて幾重にも巻回された定出力スプリング１７がドラム１８との間に図３に示すようにＳ字状の裏返し方向に巻きとられ逐次復帰エネルギーが蓄積されている。なおドラム１８側に巻き取られる定出力スプリング端部は固着されずに自然密着巻状である。２段ドラム１６の軸２０とガバナー装置１９の軸２１とは増速歯車列を介して連結されており、軸２０と軸２１の間の増速歯車列内にはワンウェイクラッチ（図示せず）が設けられていて引き戸閉鎖時のみ回転がガバナー装置１９に伝達されて調速されるように構成されている。
【００１９】
この動作を説明すると、引き戸が開かれてゆくと２段ドラム１６の１段目のワイヤロープ６が次第に引き出されると共に２段目の幾重にも巻回された定出力スプリング１７はほどけていってドラム１８内に順次巻き取られて戻り力が蓄えられてゆく、この間軸２０から歯車列に回転は伝達されるがワンウェイクラッチ（図示せず）により軸２１には伝達されないためガバナー装置１９は動作しない。引き戸からの負荷が除かれると今度はドラム１８内に順次巻き取られていた定出力スプリング１７が元通りに巻き戻るため引き出されたワイヤロープ６も次第に巻き戻って来る。この間軸２０から歯車列に回転が伝達されワンウェイクラッチ（図示せず）によりガバナー装置１９には回転が伝達されてブレーキが働くため閉鎖速度は減速されることになる。
【００２０】
次に実施例２について説明する。実施例２は実施例１の連動閉鎖装置を取りつけた常開式両引分防火戸である。実施例１と構成動作を同じくするものについては同じ番号を用いる。まずその構成を説明すると、図２においてＷａの幅を有する幅狭防火戸１ａとＷｂの幅を有する幅広防火戸１ｂがレール４上にそれぞれ吊車３により接続具２を介して吊り下げられており幅狭防火戸１ａと幅広防火戸１ｂの両者はレール４に沿って開閉する。幅広防火戸１ｂの接続具２には係止装置１３に係止される係止具１４が設けられ、また、幅広防火戸１ｂの全開位置には係止具１４と連結係止される係止装置１３が設けられてなる。
【００２１】
幅広引き戸１ｂ側の引き戸外部に設けられた引き戸閉鎖装置５から引き戸の開閉方向に平行して引き出されたワイヤロープ６に１個の長さＬの筒状誘導具７が通された後更に滑車８、８を介してターンバックされ幅狭引き戸１ａを通り越してこのワイヤロープ６の端部が幅広引き戸１ｂ側の接続具２に設けられた取付ブラケット９に係着され幅狭引き戸１ａ側の接続具２から持ち出された筒状誘導具７の固定具１０が筒状誘導具７と固着連結されている。
【００２２】
両引分戸を全閉位置に置いて当該位置を初期位置と設定し筒状誘導具７が通された方のワイヤロープ６で初期位置における筒状誘導具端のうち幅広引き戸１ｂを開放側に移動する時この筒状誘導具７により幅狭引き戸１ａが移動しない側に当接した位置Ｐに第１留め具１１が固着されこの第１留め具１１の固着位置Ｐから筒状誘導具方向に幅広引き戸１ｂと幅狭引き戸１ａとの戸幅の差Ｗｂ−Ｗａと筒状誘導具の長さＬとを加えた距離（Ｗｂ−Ｗａ）＋Ｌだけ離れた位置Ｑのワイヤロープに第２留め具１２が固着されてなるものであり、幅広引き戸１ｂが引き戸閉鎖装置５により全閉位置に到達する時幅狭引き戸１ａもまた全閉位置に到達することを特徴とする両引分戸の連動閉鎖装置付常開式防火戸である
【００２３】
次にその動作を説明すると両引分戸１ａ、１ｂの全閉位置から引き戸閉鎖装置５の引き力に逆らって幅広引き戸１ｂを開方向に移動させてゆくとワイヤロープ６は引き戸閉鎖装置５から次第に引き出されてくる。一方、第１留め具１１は筒状誘導具端のうち幅狭引き戸１ａを移動させない側に設けられているためワイヤロープ６と一緒に移動するが幅狭引き戸１ａは移動しない。
【００２４】
そしてＱ位置に固着された第２留め具１２が筒状誘導具端に当接し、更に幅広引き戸１ｂを開方向に移動させてゆくと第２留め具１２が筒状誘導具７をそのまま押してゆき、筒状誘導具７に固着連結された幅狭引き戸１ａもまた開方向に移動することになる。
【００２５】
ここで、Ｑ位置の第２留め具１２が筒状誘導具７に当接するまでに移動した距離は初期条件設定よりＷｂ−Ｗａであり、幅広引き戸１ｂの全開位置までの残り距離はＷｂ−（Ｗｂ−Ｗａ）＝Ｗａであるから幅広引き戸１ｂが全開位置に到達した時、幅狭引き戸１ａもまた全開位置に到達することになる。すなわち両引分戸１ａ、１ｂは同時に全開位置に達することになる。
【００２６】
幅広引き戸１ｂが全開位置に到達した時、当初の設定条件より幅広引き戸１ｂ側の接続具２に設けられた係止具１４が係止装置１３に係止されるため両引分戸は全開位置に常開状態で留まることになる。
【００２７】
火災報知機や煙感知器などからの異常信号が係止装置１３に入ってくると係止装置１３は直ちに係止具１４を自動解除して幅広引き戸１ｂは引き戸閉鎖装置５の引き力によって閉方向に移動してゆき、ワイヤロープ６も移動するが筒状誘導具７は第１留め具１１が到達するまでそのままの位置で停止した状態であり、そのため幅狭引き戸１ａもまたその位置で停止したままである。
【００２８】
そして筒状誘導具７に第１留め具１１が当接し、更に幅広引き戸１ｂが閉方向に移動してゆくと第１留め具１１はワイヤロープ６に固着されているため、今度は筒状誘導具７も移動し、筒状誘導具７に固着連結された幅狭引き戸１ａもまた閉方向に移動することになる。
【００２９】
ここで、第１留め具１１が筒状誘導具７に当接するまでに移動した距離は初期条件設定よりＷｂ−Ｗａであり、全閉位置までの残り距離はＷｂ−（Ｗｂ−Ｗａ）＝Ｗａであるから幅広引き戸１ｂが全閉位置に到達した時、幅狭引き戸１ａもまた全閉位置に到達することになる。すなわち両引分戸１ａ、１ｂは同時に全閉位置に達することになる。
【００３０】
【発明の効果】
本発明の連動閉鎖装置は簡単な構造でしかも、どのような戸幅の異なる両引分戸であっても全開時には異なる幅の戸袋に完全収納できるという効果があり、常開式両引分防火戸として需要者の要求に応えることが出来る。
【図面の簡単な説明】
【図１】本発明装置を正面からみた概略説明図
【図２】本発明常開式防火戸の主要部を抜粋した斜視図
【図３】引き戸閉鎖装置の正面図
【図４】引き戸閉鎖装置の断面図
【符号の説明】
１ａ、  幅狭引き戸
１ｂ、  幅広引き戸
２、  接続具
３、  吊車
４、  レール
５、  引き戸閉鎖装置
６、  ワイヤロープ
７、  筒状誘導具
８、  転向滑車
９、  取付ブラケット
１０、  筒状誘導具の固定具
１１、  第１留め具
１２、  第２留め具
１３、  係止装置
１４、  係止具
１５、  ケース
１６、  ２段ドラム
１７、  定出力スプリング
１８、  ドラム
１９、  ガバナー装置
２０、  軸
２１、  軸
【図１】
2004232442.tif 000003
【図２】
2004232442.tif 000004
【図３】
2004232442.tif 000005
【図４】
2004232442.tif 000006